(57)【要約】【課題】開放したユニットに大きな力を加えても、装置本体の転倒を防止できる画像形成装置を提供する。【解決手段】画像形成装置に支軸を中心に回転させて開閉可能な補給ユニット２が配置されており、その奥側にある感光体ユニット等をメンテナンスするとき、補給ユニット２を開いて退避させ、回転支点から距離が長くなり、大きなモーメントが発生すると装置本体１が転倒する恐れがある。そこで、補給ユニット２を開放したときは補給ユニット２の先端付近に支柱４を取り付けて装置本体１が転倒しないように支える。【選択図】図２
2010191025.tif 000002
【特許請求の範囲】
【請求項１】
装置本体に回転支点を有し、装置本体に対して開放可能なユニットを備える画像形成装置において、
前記ユニット開放時に、開放されたユニットに対してセット可能な支柱を備えることを特徴とする画像形成装置。
【請求項２】
請求項１の画像形成装置において、
前記支柱の先端にキャスタを設けたことを特徴とする画像形成装置。
【請求項３】
請求項１または２の画像形成装置において、
前記支柱が伸縮可能なものであることを特徴とする画像形成装置。
【請求項４】
請求項１または２の画像形成装置において、
前記支柱が折りたたみ可能なものであることを特徴とする画像形成装置。
【請求項５】
請求項１から４のいずれかの画像形成装置において、複写機、ファクシミリ、プリンタ、印刷機又はインクジェット記録装置の何れか一つ、またはそれらの少なくとも二つの機能を組み合わせた複合機であることを特徴とする画像形成装置。
【発明の詳細な説明】
【技術分野】
【０００１】
本発明は、複写機、ファクシミリ、プリンタ、これらの複合機等の画像形成装置において、メンテナンス上、構成ユニットを装置本体の手前側へ退避させる必要があるものに関する。
【背景技術】
【０００２】
上述のような画像形成装置には、図１に示すように、装置本体１の手前側にトナー補給ユニット２があり、その奥の現像装置や感光体ユニット（符号３で示すが、同符号で示すものが単一の構成ユニットであることを意味しない）をメンテナンスする場合には、補給ユニット２を図示しないレールに乗せて装置本体１の手前側へ水平に引き出し、装置本体１から一旦取り外す必要があるものが知られている。
【０００３】
このような構成の画像形成装置においてメンテナンス性を良くするためには、図1（ｂ）に示す様に、ヒンジ（図示しない）を設けて補給ユニット２を回転可能に支持することで、補給ユニット２を装置本体１から取り外したり戻したりする手間が省けるようにすることができる。
【発明の概要】
【発明が解決しようとする課題】
【０００４】
しかし、補給ユニット２部分の重量が大きいことと、回転支点であるヒンジから補給ユニット２の先端までの距離が長いので、人が補給ユニット２の先端あたりに手をついたりした場合、装置本体１全体が転倒するおそれがある。
【０００５】
そこで本発明は、メンテナンス性の向上と転倒防止という安全性の向上とを両立させた画像形成装置を提供することを目的とする。
【課題を解決するための手段】
【０００６】
本発明の画像形成装置のうち請求項１に係るものは、装置本体に回転支点を有し、装置本体に対して開放可能なユニットを備える画像形成装置において、前記ユニット開放時に、開放されたユニットに対してセット可能な支柱を備えることを特徴とする。
【０００７】
請求項２に係るものは、請求項１の画像形成装置において、前記支柱の先端にキャスタを設けたことを特徴とする。
【０００８】
請求項３に係るものは、請求項１または２の画像形成装置において、前記支柱が伸縮可能なものであることを特徴とする。
【０００９】
請求項４に係るものは、請求項１または２の画像形成装置において、前記支柱が折りたたみ可能なものであることを特徴とする
【００１０】
請求項５に係るものは、請求項１から４のいずれかの画像形成装置において、複写機、ファクシミリ、プリンタ、印刷機又はインクジェット記録装置の何れか一つ、またはそれらの少なくとも二つの機能を組み合わせた複合機であることを特徴とする。
【発明の効果】
【００１１】
本発明によれば、ユニット開放時に支柱で支えることによって、開放したユニットに大きな力を加えても、装置本体が転倒することを防止することができる。
【図面の簡単な説明】
【００１２】
【図１】構成ユニットを装置本体の手前側へ退避させる必要がある画像形成装置の例を示す斜視図
【図２】本発明を適用した画像形成装置の第１実施例を示す斜視図
【図３】本発明を適用した画像形成装置の第２実施例を示す斜視図
【図４】本発明を適用した画像形成装置の第３実施例を示す斜視図
【図５】本発明を適用した画像形成装置の第４実施例を示す斜視図
【発明を実施するための形態】
【００１３】
以下本発明を実施するための形態を、図に示す実施例を参照して説明する。なお本発明は図示の画像形成装置への実施には限定されず、画像形成を行う種々の装置に適用可能である。また以下では従来の例と共通する部分には共通する符号を付すにとどめ、重複する説明は省略する。
【実施例１】
【００１４】
図２は、本発明を適用した画像形成装置の第１の実施例を示す斜視図である。画像形成装置に支軸を中心に回転させて開閉可能なユニットが配置されている場合、その奥側にある感光体ユニット等をメンテナンスするときには補給ユニット２を退避させる必要がある。ところが、補給ユニット２の先端は回転支点から距離が長く、人が手をつくなどして大きなモーメントが発生すると装置本体１が転倒する恐れがあることは既述の通りである。
【００１５】
そこで本実施例では、補給ユニット２を開放したときは補給ユニット２の先端付近に支柱４を取り付け、補給ユニット２に大きな力が加わっても装置本体１が転倒することがないように支えるようになっている。
【実施例２】
【００１６】
図３は、本発明を適用した画像形成装置の第２の実施例を示す斜視図である。本実施例は、実施例１で採用した支柱４の先端にキャスタ５を取り付けることによって、支柱の機能をもたせてままユニットを開閉することができ、補給ユニット２を開閉する時点から支点として作用するようにして、より安全な構成としたものである。その他の構成、作用は実施例１と同様であるので説明を省略する。
【実施例３】
【００１７】
図４は、本発明を適用した画像形成装置の第３の実施例を示す斜視図である。本実施例は、支柱６が伸縮可能に構成してあり、支柱６を使用しないときは補給ユニット２の内部に収納できるようにしてある。そのため、メンテナンス性をより高めることができている。その他の構成、作用は実施例１と同様であるので説明を省略する。
【実施例４】
【００１８】
図５は、本発明を適用した画像形成装置の第４の実施例を示す斜視図である。本実施例は、支柱７が折りたたみ可能に構成されているため、支柱７を使用しないときはやはり補給ユニット２の内部に収納できるようにしてある。メンテナンス性をより高めることができている。その他の構成、作用は実施例１と同様であるので説明を省略する。
【符号の説明】
【００１９】
１：装置本体
２：補給ユニット
３：現像装置や感光体ユニット
４、６、７：支柱
５：キャスタ
【先行技術文献】
【特許文献】
【００２０】
【特許文献１】特開平09-236960号公報
【特許文献２】特開2006-171489号公報
【図１】
2010191025.tif 000003
【図２】
2010191025.tif 000004
【図３】
2010191025.tif 000005
【図４】
2010191025.tif 000006
【図５】
2010191025.tif 000007